(57)【特許請求の範囲】
【請求項１】
被検体の肌表面に接触させて肌の油分量を測定するための接触面を有する透明体と、前記接触面に透明体内部から照明光を照射するための光源と、接触面で内部反射された反射光を検出するための光検出器と、前記接触面近傍に一体に配置され肌表面に接触されたときの静電容量から肌の水分量を測定するコンデンサーと、前記透明体を通して前記接触面に近接した状態の肌表面を撮影する撮影装置とを備え、前記コンデンサーの容量変化に基づいて前記撮影装置による撮影動作が制御されることを特徴とする肌の総合測定装置。
【請求項２】
前記透明体が前記接触面の他に、入射面と射出面を備え、前記入射面に面して前記光源が配置され、前記射出面に面して前記光検出器が配置され、前記透明体の屈折率ｎg は肌表面の油分の屈折率ｎoiより大きいものであり、前記照明光が、水分に対する前記透明体の臨界角θCwo より大きな入射角であって肌表面の油分に対する前記透明体の臨界角θCoi より小さい入射角で照射されることを特徴とする請求項１記載の肌の総合測定装置。
【請求項３】
前記接触面近傍に一体に配置され肌表面に接触されたときの肌の温度を検出する温度検出手段を備えたことを特徴とする請求項１又は２記載の肌の総合測定装置。
【請求項４】
前記接触面近傍に一体に配置され肌表面に接触されたときの肌の弾力を検出する弾力検出手段を備えたことを特徴とする請求項１から３の何れか１項記載の記載の肌の総合測定装置。
【請求項５】
被検体の肌表面に接触させて肌の油分量を測定するための接触面を有する透明体と、前記接触面に透明体内部から照明光を照射するための光源と、接触面で内部反射された反射光を検出するための光検出器と、前記接触面近傍に一体に配置され肌表面に接触されたときの静電容量から少なくとも肌の水分量を測定するコンデンサーとを備え、前記コンデンサーとして、平行に円周状に伸びる一対の櫛形電極を相互に噛み合うように対向離間配置してなるものを用いていることを特徴とする肌の総合測定装置。
【請求項６】
前記透明体を通して前記接触面に近接した状態の肌表面を撮影する撮影装置を備え、前記コンデンサーの容量変化に基づいて前記撮影装置による撮影動作が制御されることを特徴とする請求項５記載の記載の肌の総合測定装置。
【発明の詳細な説明】
【０００１】
【発明の属する技術分野】
本発明は、肌の総合測定装置に関し、特に、消耗品なしに１回の測定で簡単に自動的に肌表面の水分量、油分量、温度、弾力、キメの状態を同時に測定できる装置に関するものである。
【０００２】
【従来の技術】
人の肌表面の水分量、油分量、温度、弾力、キメの状態を測定することは、化粧品を選ぶ上で重要なことである。水分量の多い人が油性の化粧品を用いたり、油分量の多い人が水性の化粧品を用いたりすると、肌を荒らしたり化粧品ののりが悪くなる。
【０００３】
そこで、従来は、肌の水分量の測定には、水の誘電率が高いことを利用して表面を保護してある面型のコンデンサーを肌に押し当ててそのコンデンサーの容量変化を測定することにより水分量の測定を行っている。
【０００４】
一方、肌の油分量の測定には、表面を粗面化してシールを用い、そのシールの粗面側を肌に押し付けて粗面の凹部内に毛管現象により油分を滲み込ませ、シールに付着した油分が多い程粗面が平滑化して光の散乱が減少することを利用して、そのシールに裏面側から光を当てて散乱光の強度を測定することにより油分量の測定を行っている。
【０００５】
【発明が解決しようとする課題】
しかしながら、肌の油分量の測定にこの粗面化したシールを用いる方式では、粗面に滲み込んだ油分は容易には除去できないため、測定毎にシールを新しいものと交換し、使用済みのシールは廃棄している。そのため、環境に厳しいと共に、測定コストが高価なものとなってしまう。さらには、肌表面の油分量と水分量を同時に同じ個所で測定することができない。
【０００６】
また、肌の弾力、キメの状態も従来は別々に測定しており、肌の総合的な状態を測定するには、項目ごとに別々の測定を行う必要があり、長い時間が必要である。
【０００７】
本発明は従来技術のこのような問題点に鑑みてなされたものであり、その目的は、粗面化シールのような消耗品を用いずに、１回の測定で簡単に自動的に肌表面の水分量、油分量、温度、弾力、キメの状態を同時に測定できる装置を提供することである。
【０００８】
【課題を解決するための手段】
上記目的を達成する本発明の肌の総合測定装置は、被検体の肌表面に接触させて肌の油分量を測定するための接触面を有する透明体と、前記接触面に透明体内部から照明光を照射するための光源と、接触面で内部反射された反射光を検出するための光検出器と、前記接触面近傍に一体に配置され肌表面に接触されたときの静電容量から肌の水分量を測定するコンデンサーと、前記透明体を通して前記接触面に近接した状態の肌表面を撮影する撮影装置とを備え、前記コンデンサーの容量変化に基づいて前記撮影装置による撮影動作が制御されることを特徴とするものである。
【０００９】
この場合に、透明体が接触面の他に、入射面と射出面を備え、その入射面に面して光源が配置され、射出面に面して光検出器が配置され、透明体の屈折率ｎg は肌表面の油分の屈折率ｎoiより大きいものであり、照明光が、水分に対する透明体の臨界角θCwo より大きな入射角であって肌表面の油分に対する透明体の臨界角θCoi より小さい入射角で照射されることが望ましい。
【００１０】
また、接触面近傍に一体に配置され肌表面に接触されたときの肌の温度を検出する温度検出手段、あるいは、接触面近傍に一体に配置され肌表面に接触されたときの肌の弾力を検出する弾力検出手段の少なくとも何れか一方を備えていることが望ましい。
【００１１】
本発明のもう１つの肌の総合測定装置は、被検体の肌表面に接触させて肌の油分量を測定するための接触面を有する透明体と、前記接触面に透明体内部から照明光を照射するための光源と、接触面で内部反射された反射光を検出するための光検出器と、前記接触面近傍に一体に配置され肌表面に接触されたときの静電容量から少なくとも肌の水分量を測定するコンデンサーとを備え、前記コンデンサーとして、平行に円周状に伸びる一対の櫛形電極を相互に噛み合うように対向離間配置してなるものを用いていることを特徴とするものである。
【００１２】
この場合、透明体を通して接触面に近接した状態の肌表面を撮影する撮影装置を備え、コンデンサーの容量変化に基づいて撮影装置による撮影動作が制御されることが望ましい。
【００１３】
本発明においては、簡単な構成で、何らの消耗品を用いずに、１回の測定で簡単に自動的に肌表面の水分量、油分量の測定、表面状態の撮影等を同時に行うことができる。
【００１４】
【発明の実施の形態】
まず、本発明の肌の総合測定装置の油分量測定の原理について説明する。
【００１５】
本発明で用いる油分量測定の基本原理は、ガラスのような透明体の平面を肌に密着し、その平面に接触する油分部分では全反射を起こさず、その平面に接触する水分部分及び空気部分では全反射を起こすような角度で透明体内からその平面に光束を照射し、その平面で反射した光束の強度を測定することにより油分量を測定するものである。
【００１６】
以下、より具体的に説明する。光の屈折の法則に基づくと、図４（ａ）に示すように、平面の界面の入射側の屈折率をｎ1 、反対側の屈折率をｎ2 とし、入射光１の界面の法線から計った入射角をθ、屈折光２の界面の法線から計った屈折角をβとすると、
ｎ1 ｓｉｎθ＝ｎ2 ｓｉｎβ                            ・・・（１）
の関係を満足する。ここで、ｎ1 ＞ｎ2 の関係を満たすとき、β＝９０°になるθが存在する。そのときのθは臨界角θC と呼ばれ、
ｓｉｎθC ＝ｎ2 ／ｎ1                                 ・・・（２）
の関係を満足する。この臨界角θC 以上の入射角θで入射光１を界面に入射させると、図４（ｂ）に示すように、入射光１はその界面で反射の法則を満たして（入射角θと同じ反射角θで）１００％反射光３として反射される。この現象が全反射と呼ばれる。
【００１７】
ところで、図３（ａ）に示すように下面が平面のガラスＧを肌表面Ｓに押し付けた場合、ガラスＧの下面には、図３（ｂ）に示すように、油分１１と水分１２と空気１３が分離して接触する。このようにそれぞれが分離して接触するのは、油分１１と水分１２は融合しないためである。肌表面Ｓの油分量はこのように分離して接触した油分１１の接触面積に比例すると考えられるので、図３（ｂ）の面内の油分１１の面積を測定することにより、肌表面の油分量が測定できる。
【００１８】
図３（ｂ）の油分１１の接触面積を測定するには、使用光の波長が６３２ｎｍの場合、水分の屈折率（ｎwo＝１．３３）及び空気の屈折率（ｎai＝１）より油分の屈折率（ｎoi＝１．５８）が大きく、ガラスＧの屈折率ｎg を油分の屈折率ｎoiより大きなものを選び、すなわち、
ｎg ＞ｎoi                                            ・・・（３）
とするとき、水分部分１２に対するガラスＧの臨界角θCwo 及び空気部分１３に対するガラスＧの臨界角θCai が、油分部分１１に対するガラスＧの臨界角θCoi より小さいことを利用して、図１に示すように、θCoi より小さくθCwo より大きな入射角θ、すなわち、
θCwo ＜θ＜θCoi                                     ・・・（４）
を満足する入射角θで、ガラスＧ側からガラスＧの下面に入射光束１０を入射させ、水分部分１２と空気部分１３で全反射を起こさせ、油分部分１１では全反射が起きないようにして、ガラスＧの下面で反射される反射光２０の強度を測定すればよい。油分１１の接触面積の入射光束１０中での割合をＫとすると、反射光２０の強度Ｐは、図２に示すような関係を示す。油分の割合が１００％でも反射光２０の強度Ｐが０にならないのは、ガラスＧの屈折率ｎg と油分の屈折率ｎoiの差による界面でのフレネル反射による反射光があるためである。なお、このフレネル反射の強度を弱くするには、入射光束１０としてＰ偏光を用いる方がより望ましい。
【００１９】
次に、この油分量測定のための構成の実施例について説明する。上記したように、水分の屈折率ｎwo＝１．３３であり、油分の屈折率ｎoi＝１．５８であるので、ガラスＧの屈折率として例えばｎg ＝１．８４のものを用いる場合、水分部分１２に対するガラスＧの臨界角θCwo ＝４６．３°、油分部分１１に対するガラスＧの臨界角θCoi ＝５９．２°となる。したがって、ガラスＧ内の入射光束１０の界面入射角θ＝５０°になるようにガラスＧの形状を選ぶことにより、本発明の肌の油分量測定装置を構成することができる。
【００２０】
図５は上記に基づいて構成した肌の油分量測定装置の１実施例の主要部の断面図であり、ガラスブロック３０が配置され、その屈折率はｎg ＝１．８４に選択されている。ガラスブロック３０には、被検体の肌に接触される接触平面３１と、この平面３１にブロック内から入射角θ＝５０°で入射する入射光束１０がガラスブロック３０に屈折されずに入射させる入射平面３２と、平面３１で全反射した反射光２０をブロック外に屈折されずに射出させる射出平面３３が形成されている。そして、入射平面３２に近接してＬＥＤ４１が配置され、射出平面３３に近接してフォトダイオード４２が配置されている。
【００２１】
ここで、ＬＥＤ４１は１０°未満の広がり角で単色光を放射するので、ＬＥＤ４１と入射平面３２の間にコリメータ用のレンズを設けなくとも、接触平面３１には、θCwo ＝４６．３°＜θ＜５９．２°＝θCoi の関係（（４）式）を満たして入射光束１０を入射させることができる。ただし、ＬＥＤ４１と入射平面３２の間にコリメータレンズを配置して入射光束１０を平行光にするようにすることがより望ましい。まが、ＬＥＤ４１の代わりに他の単色あるいは多波長の光源を用いてもよい。
【００２２】
このような配置であるので、ガラスブロック３０の接触平面３１を被検体の肌に押し付けてＬＥＤ４１を点灯して入射光束１０を接触平面３１に照射し、フォトダイオード４２で反射光２０の強度を検出することにより、被検体の肌の油分の割合Ｋを水分の影響を受けずに求めることができる。
【００２３】
次に、本発明の肌の総合測定装置で用いる水分量測定の装置について説明する。このためには、図６（ｂ）に正面図を示すような円周状に伸び相互に噛み合うように対向離間配置された一対の櫛形電極５１、５２からなる面型コンデンサー５０が用いられる。この面型コンデンサー５０は、図６（ａ）の断面図に示すように、肌Ｓがこの面型コンデンサー５０に近づいてくると、櫛形電極５１、５２間の実効的な誘電率が高くなるためその静電容量Ｃが増大する特性を有するものであり、この面型コンデンサー５０を保護層５３を介して肌Ｓに押し付け密着させると、肌Ｓの水分量に応じてその静電容量Ｃが変わるものである。具体的には、肌Ｓの水分量が多い程静電容量Ｃが大きくなるものである。したがって、面型コンデンサー５０を肌Ｓに押し付けたときの面型コンデンサー５０の容量を図示しないコンデンサー容量検出回路で検出することにより、被検体の肌の水分の割合もを検出することができる。
【００２４】
また、図６（ｂ）には、この面型コンデンサー５０の引き出し電極５４、５５間に一体に温度検出器６０が配置されている。この温度検出器６０としては、サーミスター、熱電対等が用いられる。したがって、面型コンデンサー５０を肌Ｓに押し付けると、同時に温度検出器６０も肌Ｓに押し付けられ、肌Ｓの温度を同時に検出することができる。なお、符号６１、６２は温度検出器６０の引き出し電極である。
【００２５】
図７は、肌の油分量測定用のガラスブロック３０を通して肌の表面状態、例えば肌のキメ、汗腺穴、しわ、色を観察するための画像を撮影するための構成を示す図である。ガラスブロック３０には、被検体の肌に接触される接触平面３１と平行な裏面３４が設けられており、その接触平面３１と裏面３４を通して接触平面３１に接触前の肌Ｓの表面の像を見ることができる。そこで、ガラスブロック３０の裏面３４に面して撮像レンズ７１が配置され、その拡大結像面にカラーＣＣＤ等のカラー撮像素子７２が配置され、肌Ｓの表面状態が撮像される。なお、その際の肌Ｓを照明する照明光については図示は省いてあるが、撮像レンズ７１の周辺に白色光源を設ける、あるいは、ガラスブロック３０の裏面３４とカラー撮像素子７２の間の何れかの光路中にハーフミラーを配置して照明光を導入する等の周知の構成をとる。
【００２６】
ただし、ここで重要なことは、ガラスブロック３０の接触平面３１が肌Ｓに押し付けられた状態の肌表面を撮影しても、その表面状態の画像が正しく撮像されないので、ガラスブロック３０が肌Ｓに近づく前あるいは離れる一瞬の画像を撮像するようにする。そのために、図６を用いて説明した水分量測定用の面型コンデンサー５０を利用する。
【００２７】
すなわち、上記したように、面型コンデンサー５０は肌Ｓが近づいてくると、櫛形電極５１、５２間の実効的な誘電率が高くなるためその静電容量Ｃが増大して行くものである。いま、面型コンデンサー５０の静電容量ＣをＬＣ回路の同調周波数ｆで測定するとすると、図８に示すように、面型コンデンサー５０から肌Ｓまでの距離ｄがある距離ｄ0 以上になると、空気中に面型コンデンサー５０が孤立した状態となるので、静電容量Ｃは略一定であり、同調周波数ｆも一定の値ｆ0 となる。その距離ｄ0 よりも距離ｄが小さくなると、静電容量Ｃが増加するので同調周波数ｆは減少し、密着状態（ｄ≒０）では肌Ｓの水分量に応じてその静電容量Ｃが変わり、肌Ｓの水分量が多いとき静電容量Ｃは相対的に大きいので、周波数ｆH となり、肌Ｓの水分量が少ないとき静電容量Ｃは相対的に小さいので、ｆH より大きなｆL となる。したがって、密着状態（ｄ≒０）でのｆから肌Ｓの水分量が検出できるが、肌Ｓの水分量に応じてその中間の距離ｄでは、同調周波数ｆも肌Ｓの水分量に応じて減少して行く。図中、曲線Ｈは肌Ｓの水分量が多いとき、曲線Ｌは肌Ｓの水分量が少ないときである。面型コンデンサー５０が肌Ｓから離れている状態の同調周波数ｆ0 から所定の値Δｆ（Δｆ＜ｆ0 −ｆL ）だけ下がった状態での面型コンデンサー５０から肌Ｓまでの距離を見ると、肌Ｓの水分量に応じてその距離は異なるが（水分量が多いとき：ｄ1H、水分量が少ないとき：ｄ1L）、何れにしてもその距離の誤差はΔｄの範囲に入った所定幅の距離である。この距離の誤差Δｄ以上の被写界深度の撮像レンズ７１を用いれば、面型コンデンサー５０の静電容量Ｃの変化を検出することにより、ガラスブロック３０の接触平面３１が肌Ｓから離れた位置での画像を撮像することができる。
【００２８】
したがって、図７に示すように、ガラスブロック３０の接触平面３１の近傍（図７の場合は周囲）に一体に面型コンデンサー５０を設け、面型コンデンサー５０が肌Ｓに近づいて行く過程あるいは離れて行く過程でその面型コンデンサー５０の静電容量Ｃの変化を見て、その変化量が所定の値になったときにガラスブロック３０を通して撮像レンズ７１とカラー撮像素子７２により肌Ｓの表面状態の画像を撮像することにより、肌のキメ、汗腺穴、しわ、色等の表面状態を観察するための画像が撮像できる。
【００２９】
また、本発明の肌の総合測定装置においては、弾力センサーも必要に応じて用いる。弾力センサー７０は、例えば図９に示すように、バネ７２で押圧している接触ピン７１を肌Ｓに押し付け、肌Ｓの凹み量ｗを検出して肌Ｓの弾力を見るものであり、接触ピン７１はケース７３内で後ろよりバネ７２で前方へ押圧されており、その接触ピン７１の位置（凹み量ｗ）は、ケース７３内に接触ピン７１後端を挟んで対向配置された発光素子７４と受光素子７５からなるフォトカップラーの出力値から検出することができる。すなわち、接触ピン７１後端の位置に応じて発光素子７４からの光束の遮断量が異なるため、受光素子７５からの出力値は変化する。したがって、その出力値により肌Ｓの弾力を検出することができる。
【００３０】
図１０は、以上の肌の油分量測定装置、水分量測定装置、温度測定装置、表面状態撮像装置、弾力測定装置を一体に組み込んだ本発明による肌の総合測定装置の１実施例の構成を示す図である。すなわち、油分量測定装置は、図５のような配置のガラスブロック３０とＬＥＤ４１とフォトダイオード４２からなり、水分量測定装置は、ガラスブロック３０の接触平面３１の周囲に配置された図６のような面型コンデンサー５０からなり、温度測定装置は、ガラスブロック３０の接触平面３１の周囲の一部に配置された温度検出器６０からなり、表面状態撮像装置は、ガラスブロック３０の裏面３４に面して配置された撮像レンズ７１とその拡大結像面に配置されたカラー撮像素子７２と、面型コンデンサー５０からなり、弾力測定装置は、ガラスブロック３０の周囲の一部に配置された弾力センサー７０からなる。
【００３１】
このような構成であるので、ガラスブロック３０を被検体の肌Ｓに押し付けるために近づけると、面型コンデンサー５０も同時に近づき、図示しないコンデンサー容量検出回路でその容量を測定し、その容量が所定値増加した時点であって、まだガラスブロック３０、面型コンデンサー５０、温度検出器６０、弾力センサー７０が肌Ｓに接触する以前に、撮像レンズ７１を通してカラー撮像素子７２により肌Ｓの表面状態が撮像される。そのままガラスブロック３０を被検体の肌Ｓに押し付けて接触させた状態で、肌Ｓの油分量、水分量、温度、弾力がそれぞれフォトダイオード４２、面型コンデンサー５０、温度検出器６０、弾力センサー７０からの出力値により検出される。
【００３２】
図１１は、図１０に示した肌の総合測定装置をプローブヘッド８０として用いている肌の総合測定装置の全体のシステム構成を示す図であり、プローブヘッド８０の接触先端部８１にガラスブロック３０、面型コンデンサー５０、温度検出器６０、弾力センサー７０が一体に配置され、その後端側にＬＥＤ４１、フォトダイオード４２、撮像レンズ７１、カラー撮像素子７２等が配置される。そのプローブヘッド８０には、ヒーター８２が一体に設けられプローブヘッド８０全体を肌に接触させても違和感のない温度に保っている。また、プローブヘッド８０には、キャリブレーションボタン８３が設けられ、このキャリブレーションボタン８３を押すことによって、測定装置の基準点（例えば、面型コンデンサー５０が孤立しているときの静電容量Ｃを記憶する等）を決めている。また、プローブヘッド８０には電源ランプ８５と測定可能状態を示すランプ８４が設けられている。
【００３３】
プローブヘッド８０はライン９１を通してコントローラ９０に接続されており、プローブヘッド８０から得られた以上のような肌の情報はこのコントローラ９０を経てモニター９３に送られると共に、パソコン９５に送られる。モニター９３には、肌の水分量（Ｗ）、油分量（Ｏ）、温度（Ｔ）、弾力（Ｋ）、色（Ｃ）の測定値と共に、肌の表面状態を示す画像が同時に表示される。一方、パソコン９５にはこれらの情報が電子カルテとして記憶されると共に、肌の表面状態の画像が画像解析されて数値化される。
【００３４】
なお、コントローラ９０とモニター９３をつなぐライン９２、コントローラ９０とパソコン９５をつなぐライン９４は無線化して電波あるいは赤外線によってつなぐようにしてもよい。
【００３５】
なお、肌の水分量及び肌からの距離を検出する面型コンデンサー５０としては、従来のように、平行に伸びる一対の直線状の櫛形電極を相互に噛み合うように対向離間配置したものを用いてもよいが、図６のように、平行に円周状に伸びる一対の櫛形電極を相互に噛み合うように対向離間配置したものを用いた方が測定の安定性が高いことが実証されており、より望ましいものである。
【００３６】
以上、本発明の肌の総合測定装置をその原理と実施例に基づいて説明してきたが、本発明はこれら実施例に限定されず種々の変形が可能である。例えば、光源としてＬＥＤの代わりにＬＤ、白色光源等を用いてもよい。
【００３７】
【発明の効果】
以上の説明から明らかなように、本発明の肌の総合測定装置によると、簡単な構成で、何らの消耗品を用いずに、１回の測定で簡単に自動的に肌表面の水分量、油分量の測定、表面状態の撮影等を同時に行うことができる。
【図面の簡単な説明】
【図１】本発明において肌の油分量測定装置の測定原理を説明するための図である。
【図２】図１の配置において油分の割合と反射光の強度の関係を示す図である。
【図３】ガラスを肌表面に押し付けた場合の様子とその場合に油分、水分、空気が分離して接触する様子を示す図である。
【図４】光の屈折の法則と全反射を説明するための図である。
【図５】本発明において肌の油分量測定装置の１実施例の主要部の断面図である。
【図６】本発明において水分量測定装置に用いる面型コンデンサーの構成と作用、及び、一体に設けた温度検出器を説明するための図である。
【図７】本発明において肌の表面状態を観察するための画像を撮影するための構成を示す図である。
【図８】図６の面型コンデンサーの静電容量と肌の距離、水分量との関係を示す図である。
【図９】本発明において用いる弾力センサーの１例の構成を示す図である。
【図１０】本発明による肌の総合測定装置の１実施例の構成を示す図である。
【図１１】図１０に示した肌の総合測定装置をプローブヘッドとして用いている肌の総合測定装置の全体のシステム構成を示す図である。
【符号の説明】
Ｇ…ガラス
Ｓ…肌、肌表面
１…入射光
２…屈折光
３…全反射光
１０…入射光束
１１…油分（部分）
１２…水分（部分）
１３…空気（部分）
２０…反射光
３０…ガラスブロック
３１…接触平面
３２…入射平面
３３…射出平面
３４…裏面
４１…ＬＥＤ
４２…フォトダイオード
５０…面型コンデンサー
５１、５２…櫛形電極
５３…保護層
５４、５５…面型コンデンサーの引き出し電極
６０…温度検出器
６１、６２…温度検出器の引き出し電極
７１…撮像レンズ
７２…カラー撮像素子
７０…弾力センサー
７２…バネ
７１…接触ピン
７３…ケース
７４…発光素子
７５…受光素子
８０…プローブヘッド
８１…接触先端部
８２…ヒーター
８３…キャリブレーションボタン
８４…測定可能状態を示すランプ
８５…電源ランプ
９０…コントローラ
９１…ライン
９２…ライン
９３…モニター
９４…ライン
９５…パソコン
【図１】
0003963731.tif 000002
【図２】
0003963731.tif 000003
【図３】
0003963731.tif 000004
【図４】
0003963731.tif 000005
【図５】
0003963731.tif 000006
【図６】
0003963731.tif 000007
【図７】
0003963731.tif 000008
【図８】
0003963731.tif 000009
【図９】
0003963731.tif 000010
【図１０】
0003963731.tif 000011
【図１１】
0003963731.tif 000012